(57)【要約】【課題】線材の入線作業が容易であると共に、雨水の屋内への浸入を防止して、屋根葺き材の上から屋内へ線材を引き込むことができる線材引き込み器具を提供する。【解決手段】線材引き込み器具１０は、屋根葺き材に代替して用いられる瓦形状の基体１１と、基体に貫通して設けられ、線材を挿通可能な基体孔部１２と、基体孔部及び基体孔部から軒側端部１３まで延びる線材導入路１５を囲繞するように、基体から立設されていると共に基体と一体化され、軒側端部に向かって開放された立壁体３０と、立壁体に対して着脱自在に装着され、立壁体を内嵌させて被覆可能な蓋体５０とを具備する。【選択図】図１
2008266977.tif 000002
【特許請求の範囲】
【請求項１】
屋根葺き材の上から屋内へ線材を引き込むための線材引き込み器具であって、
屋根葺き材に代替して用いられる、または屋根葺き材に取付けられる略板状の基体と、
該基体に貫通して設けられ、線材を挿通可能な基体孔部と、
該基体孔部及び該基体孔部から前記基体の軒側端部に向かって延びる線材導入路を囲繞するように、前記基体から立設されていると共に前記基体と一体化され、前記軒側端部に向かって開放された立壁体と、
該立壁体に対して着脱自在に装着され、前記立壁体を内嵌させて被覆可能な蓋体と
を具備することを特徴とする線材引き込み器具。
【請求項２】
前記基体孔部より軒側で前記基体から立設され、略へ字状に屈曲して頂部を前記基体孔部に向けると共に前記軒側端部に向けて拡開し、かつ両先端が自由端となった第一防水壁と、
前記基体孔部より軒側で前記基体から立設されると共に前記立壁体から内側に向けて突設され、前記軒側端部に向けて傾斜し、かつ先端が自由端となった第二防水壁と
を更に具備することを特徴とする請求項１に記載の線材引き込み器具。
【請求項３】
前記基体は、瓦の形状に形成されることを特徴とする請求項１または請求項２に記載の線材引き込み器具。
【発明の詳細な説明】
【技術分野】
【０００１】
本発明は、屋根葺き材の上から屋内へ、線材を引き込むために用いられる線材引き込み器具に関するものである。
【背景技術】
【０００２】
屋根葺き材の上に設置された太陽電池モジュールからの出力用電線や、テレビアンテナからのアンテナ線などの線材を屋内に引き込むにあたり、線材を屋根面上で引き回して屋根の軒部や袖部まで導き、そこから屋根裏等の屋内に引き込むのでは、屋根の外観が損なわれると共に、線材が劣化し易いという問題がある。そこで、従来より、図８に示すように、円管部１０１を設け、その奥端に孔部１０５を設けた瓦１００が実施されている。これは、線材を円管部１０１の開口部１０２から導入して、更に瓦の孔部１０５に挿通することにより、屋根下地に設けられた孔部を介して、線材を屋内に引き込むものである。また、円管部１０１を瓦１００の軒側の端部１０３より延出させることにより、瓦１００を伝わる雨水の開口部１０２からの流入を防止しようと意図している。
【０００３】
また、太陽電池モジュールを配設するために、屋根下地等の屋根材の上にベース板を設け、このベース板に孔部を設け、該孔部及び屋根下地に穿設された孔部を介して、ベース板の上から屋内へ電線を引き込む配線引き込み構造が提案されている（例えば、特許文献１）。これは、上向きの凸状に湾曲させて形成されると共に、一側方に電線が挿通される開口部を有する配線保護カバーをベース板に取付けることにより、開口部からベース板孔部まで線材を導く空間を形成すると共に、ベース板の孔部及びその周辺を被覆し、ベース板孔部及び屋根の孔部を介した屋内への雨水の浸入を防止しようと意図したものである。
【０００４】
【特許文献１】特開２００５−２８１９８０号公報
【発明の開示】
【発明が解決しようとする課題】
【０００５】
しかしながら、従来の実施品の瓦１００では、線材の導入路となる空間が円管状であり、その入口と出口、すなわち、円管部１０１の開口部１０２と瓦の孔部１０５とが離れているため、線材を入線する作業がし難いという問題があった。特に、太陽電池モジュールからの出力用電線の場合は、モジュールの並列数の増加により電線の数が増加する傾向があるため、多数の電線を開口部１０２から挿入し、円管部１０１の内奥で開口部１０２とは略直交する方向に開口している瓦の孔部１０５に通すことは、極めて困難であった。ここで、円管部１０１の長さを短くし、あるいは径を大きくすることによって、入線作業を容易化することも想定し得るが、その場合は開口部１０２から雨水が流入し易いものとなる恐れがあった。
【０００６】
一方、配線保護カバーをベース板に取付けるものは（特許文献１）、ベース板孔部に線材を挿通する作業を、配線保護カバーを取外した状態で行うことができるため、入線作業は容易に行うことができる。しかしながら、上向きの凸状に湾曲させた配線保護カバーの下端縁とベース板との間から雨水が浸入する恐れが高く、ベース板孔部及び屋根の孔部を介して、屋内に雨水が浸入することが懸念されるものであった。
【０００７】
そこで、本発明は、上記の実情に鑑み、線材の入線作業が容易であると共に、雨水の屋内への浸入を防止して、屋根葺き材の上から屋内へ線材を引き込むことができる線材引き込み器具の提供を課題とするものである。
【課題を解決するための手段】
【０００８】
上記の課題を解決するため、本発明にかかる線材引き込み器具は、「屋根葺き材の上から屋内へ線材を引き込むための線材引き込み器具であって、屋根葺き材に代替して用いられる、または屋根葺き材に取付けられる略板状の基体と、該基体に貫通して設けられ、線材を挿通可能な基体孔部と、該基体孔部及び該基体孔部から前記基体の軒側端部に向かって延びる線材導入路を囲繞するように、前記基体から立設されていると共に前記基体と一体化され、前記軒側端部に向かって開放された立壁体と、該立壁体に対して着脱自在に装着され、前記立壁体を内嵌させて被覆可能な蓋体とを」具備している。
【０００９】
「線材」は、特に限定されるものではないが、屋根上に設置された太陽電池モジュールや風力発電装置からの出力用電線、テレビアンテナからのアンテナ線、照明装置への入力用電線等を例示することができる。
【００１０】
「屋根葺き材」は、瓦に代表される屋根の仕上げを行うための部材を指し、瓦の他、スレート板材、金属板材、木製板材等を例示することができる。また、「屋根下地」は、屋根葺き材を載置する下地部分であり、一般的には、垂木の上に張り渡した野地板に、防水シートなどの下葺き材が敷かれた構成とされる。
【００１１】
「基体」は、屋根葺き材と代替的に用いられる場合は、屋根葺き材と同一の形状及び寸法に形成することができる。また、屋根葺き材に取付けられる場合は、屋根葺き材が平板状であれば基体を平板状とし、屋根葺き材が湾曲した形状や波形形状であれば、それに対応させて湾曲したり波形となった板状とすることができる。また、基体の素材は特に限定されず、例えば、アルミニウムやアルミニウム合金等の金属製、セラミックス製、粘土製とすることができる。なお、基体の素材と、代替する対象の屋根葺き材や取付け対象の屋根葺き材の素材とは、同一であっても異なっていても構わない。
【００１２】
「立壁体」は、例えば、金属やセラミックスの鋳込み成形により、基体と一体成形することができる。あるいは、立壁体を基体とは別体に形成した後、溶着や接着により両者を強固に一体化することもできる。また、立壁体は軒側端部に向かって開放された構成とされるため、例えば、平面視略Ｕ字形、略コ字形、閉端側が流線型となった船形等に形成することができる。なお、立壁体が基体から立設される高さは適宜設定することができるが、雨量の多いときでも基体上を流下する雨水の嵩が立壁体の高さを超えない設定とすることが望ましく、例えば、１５〜４０ｍｍの高さとすることができる。
【００１３】
「蓋体」は立壁体を「内嵌させて被覆する」構成とされるため、蓋体は立壁体の縁に単に載置されるのではなく、立壁体が蓋体の内側に嵌め込まれる。例えば、蓋体から周縁に沿って立ち上がる周壁部を設け、この周壁部を外側に立壁体を内側にして、両者をぴったりと重畳させる構成や、周壁部を厚みのある構成として周縁に沿った溝を設け、この溝に立壁体を嵌め込む構成とすることができる。
【００１４】
上記の構成により、本発明によれば、着脱自在な蓋体を立壁体から取り外せば、基体孔部の上方、及び基体孔部まで線材を導くための線材導入路の上方が開放されるため、基体孔部に線材を入線する作業を、極めて容易に行うことができる。
【００１５】
また、線材導入路及び基体孔部は立壁体によって取り囲まれており、その立壁体は基体から所定の高さまで立設されており、しかも、基体と一体化された立壁体の根元と基体との間には間隙が生じない構成であるため、基体上を流下する雨水が基体孔部へ流入することを、防止することができる。
【００１６】
更に、立壁体の外側から内側へ線材を導入するために、立壁体が開放されている部分、すなわち線材導入路の入口は、屋根の軒側となる軒側端部に向いているため、基体上を流下する雨水が、線材導入路の入口から立壁体の内側へ流入し難いものとなっている。
【００１７】
加えて、蓋体は、立壁体に対して着脱自在な構成であっても、立壁体を内側に嵌挿させて被覆する構成とされるため、蓋体と立壁体との間からの雨水の浸入を有効に防止することができる。
【００１８】
また、本発明にかかる線材引き込み器具は、上記構成に加え、「前記基体孔部より軒側で前記基体から立設され、略へ字状に屈曲して頂部を前記基体孔部に向けると共に前記軒側端部に向けて拡開し、かつ両先端が自由端となった第一防水壁と、前記基体孔部より軒側で前記基体から立設されると共に前記立壁体から内側に向けて突設され、前記軒側端部に向けて傾斜し、かつ先端が自由端となった第二防水壁とを」具備するものとすることができる。
【００１９】
「第一防水壁」及び「第二防水壁」は、金属やセラミックスの鋳込み成形により、基体と一体的に形成することができる。あるいは、基体とは別体に形成した上で、溶着や接着により基体に取付けることができる。また、第一防水壁及び第二防水壁は、ぞれぞれ複数を設けても良い。更に、第二防水壁は、線材導入路に沿った軸対称の一対による構成とすることもできる。その場合であっても、一対の第二防水壁の先端はそれぞれ自由端であるため、一対の第二防水壁の間には雨水の流通可能な空隙が形成される。また、略へ字形の第一防水壁の両先端も自由端であるため、第一防水壁と立壁体との間には、雨水の流通可能な空隙が形成される。なお、第一防水壁の「ヘ字状」とは、頂部を挟んで屈曲した二つの壁の長さに長短がある場合に限定されず、二つの壁の長さは同じであっても良い。また、第一防水壁及び第二防水壁の高さは、蓋体が立壁体に装着された状態で、蓋体との間に線材を通すことが可能な高さに設定される。
【００２０】
上記の構成により、本発明によれば、万一、線材導入路の入口から立壁体の内側に向けて雨水が浸入しかけても、基体孔部より軒側で基体から立設され、軒側端部に向かって拡開した第一防水壁によって、更に基体孔部側へ浸入することを抑止することができる。また、立壁体に沿って浸入しかけた雨水は、立壁体から突設されている第二防水壁によって、その浸入が抑止される。特に、第二防水壁は、基体孔部より軒側で、軒側端部に向けて傾斜するように立壁体から突出しているため、基体孔部側への雨水の浸入を効果的に抑止することができる。
【００２１】
一方、第一防水壁より基体孔部側まで雨水が浸入した場合であっても、略へ字形の第一防水壁を構成する二つの壁は、いずれも基体孔部側の頂部から軒側端部に向けて傾斜しており、しかもこれらの二つの壁と立壁体との間には空隙があるため、雨水はこれらの二つの壁に沿って案内され、立壁体との間の空隙を通過して立壁体の外側まで排出され易い。また、第二防水壁より基体孔部側まで雨水が浸入した場合であっても、第二防水壁は、軒側端部に向けて傾斜するように立壁体から突設されているため、雨水は第二防水壁に沿って案内され、自由端側を通って立壁体の外側まで排出され易い。
【００２２】
上記のように、本発明は、雨水を流入させ難く、流入してしまった雨水は排出し易い構成とされた第一防水壁及び第二防水壁を備えることにより、基体孔部を介した屋内への雨水の浸入を、効果的に防止することができる。
【００２３】
また、本発明にかかる線材引き込み器具は、「前記基体は、瓦の形状に形成される」ものとすることができる。
【００２４】
「瓦」の形状は特に限定されず、例えば、粘土瓦についてのＪＩＳ  Ａ  ５２０８の規定による形状及び寸法の区分、あるいはプレスセメント瓦についてのＪＩＳ  Ａ  ５４０２の規定による形状及び寸法の区分に従って設定することができる。また、桟瓦や、軒部や袖部など屋根の特殊な部位に用いられる役瓦の形状とすることができる。なお、瓦の形状とされる基体の材質は、瓦の材質と異なっていても構わない。例えば、粘土瓦の敷設された屋根に、金属製の基体を用いた本発明の線材引き込み器具を適用することができる。
【００２５】
上記の構成により、屋根葺き材として瓦が使用された屋根に、瓦と代替して本発明の線材引き込み器具を設置することができる。これにより、線材引き込み器具の使用によって線材を屋根面上で引き回す必要がないために、線材が目立ちにくくなることに加えて、線材引き込み器具自体も周囲の瓦と同じ形状で目立ちにくいものとなり、屋根の外観をより高めることができる。また、屋根に敷設される瓦に孔部を穿設しなくても、既存の瓦の一部を本発明の線材引き込み器具と取り替えるのみの簡易な作業で、線材を屋根葺き材の上から屋内まで引き込むことができる屋根の構造とすることができる。なお、基体を瓦の形状とした線材引き込み器具を、瓦と同色とすれば、周囲の瓦の中で一層目立ち難いものとなり、より好適である。
【発明の効果】
【００２６】
以上のように、本発明の効果として、線材の入線作業が容易であると共に、雨水の屋内への浸入を防止して、屋根葺き材の上から屋内へ線材を引き込むことができる線材引き込み器具を提供することができる。
【発明を実施するための最良の形態】
【００２７】
以下、本発明の第一実施形態である線材引き込み器具について、図１乃至図５に基づいて説明する。ここで、図１は第一実施形態の線材引き込み器具の分解斜視図であり、図２は図１の線材引き込み器具の要部の（ａ）平面図、及び（ｂ）Ｘ−Ｘ線断面図であり、図３は図１の線材引き込み器具の蓋体の（ａ）平面図、（ｂ）Ａ−Ａ線断面図、（ｃ）Ｂ−Ｂ線断面図、及び（ｄ）Ｃ−Ｃ線断面図であり、図４（ａ），（ｂ）は図１の線材引き込み器具を屋根に取付けた状態を示す模式図であり、図５（ａ），（ｂ）は図１の線材引き込み器具の第一防水壁及び第二防水壁による防水作用を説明する説明図である。
【００２８】
第一実施形態の線材引き込み器具１０は、図１に示すように、屋根葺き材に代替して用いられる略板状の基体１１と、基体１１に貫通して設けられ、線材を挿通可能な基体孔部１２と、基体孔部１２及び基体孔部１２から軒側端部１３に向かって延びる線材導入路１５を囲繞するように、基体１１から立設されていると共に基体１１と一体化され、軒側端部１３に向かって開放された立壁体３０と、立壁体３０に対して着脱自在に装着され、立壁体３０を内嵌させて被覆可能な蓋体５０とを、主に具備している。
【００２９】
より詳細に説明すると、第一実施形態の基体１１は、平型の瓦の形状に形成されている。また、立壁体３０は、基体１１表面に対して略垂直に一定の高さに立設された連続する一つの壁によって、平面視略Ｕ字形に形成されている。そして、略Ｕ字形の立壁体３０が軒側端部１３に向かって開放している端部が、線材が線材導入路１５に導入される導入路入口１６となっている。なお、蓋体５０で被覆される側の立壁体３０の端部である蓋側端部３４には、導入路入口１６の近傍及びこれとは反対側の端部の近傍に螺子孔３９が設けられており、これらの螺子孔３９は、蓋体５０を立壁体３０に固定するための固定用螺子６０の螺子部と螺合可能な構成とされている。
【００３０】
また、本実施形態の線材引き込み器具１０は、図２（ａ），（ｂ）に示すように、基体孔部１２より軒側で基体１１から立設され、略へ字形に屈曲して頂部４１ｔを基体孔部１２に向けると共に軒側端部１３（図１参照）に向けて拡開し、かつ両先端４１ｅが自由端となった三つの第一防水壁４１ａ，４１ｂ，４１ｃと、基体孔部１２より軒側で基体１１から立設されると共に立壁体３０から内側に向けて突設され、軒側端部１３に向けて傾斜し、かつ先端４２ｅが自由端となった一対の第二防水壁４２とを具備している。これらの防水壁は、基体孔部１２から導入路入口１６に向かって、第一防水壁４１ａ、一対の第二防水壁４２、第一防水壁４１ｂの順に設けられ、更に、立壁体３０の外側で導入路入口１６より若干軒側に、第一防水壁４１ｃが設けられている。
【００３１】
ここで、第一防水壁４１ａ，４１ｂの高さは、それぞれ立壁体３０の高さより低く、立壁体３０の高さとの差が線材の厚さ（太さ）以上となるように設定されている。また、第二防水壁４２は、第一防水壁４１ａ，４１ｂより低い高さに設定されている。なお、本実施形態の立壁体３０、第一防水壁４１ａ，４１ｂ，４１ｃ、及び第二防水壁４２は、金属の鋳込み成形によって、基体１１と一体的に形成されている。
【００３２】
蓋体５０は、図３（ａ），（ｂ），（ｃ）に示すように、上向きに湾曲した天板部５１と、導入路入口１６と対応する蓋体側入口５６を除いて天板部５１の周縁から立設された周壁部５２とを、主に具備している。ここで、周壁部５２は、蓋体５０が立壁体３０を被覆した状態で、立壁体３０の蓋側端部３４側を内側にしてぴったりと重畳するように形成されている。また、天板部５１の裏面、すなわち蓋体５０で立壁体３０を被覆した際に基体１１と対面する面には、基体１１に向かって蓋体突部５３が突設されている。この蓋体突部５３は、蓋体５０が立壁体３０に装着された際に、第一防水壁４１ａと第一防水壁４１ｂとの間に位置するように位置決めされている。更に、蓋体５０には、立壁体３０の螺子孔３９と対応する位置に、螺子用孔部５９が設けられている。
【００３３】
次に、第一実施形態の線材引き込み器具１０の使用方法について、図４（ａ）を用いて説明する。線材引き込み器具１０が設置される屋根の屋根下地７４は、野地板と、野地板の上に敷かれた防水性シート等の下葺き材で構成され、この屋根下地７４には、貫通する屋根孔部７５が穿設されている。また、屋根下地７４には、長尺の角柱状の木材等によって構成される複数の瓦桟７６が固定されており、この瓦桟７６に屋根葺き材としての瓦７１が引掛け掛止されている。
【００３４】
線材引き込み器具１０の基体１１は、これらの瓦７１と同一の形状及び寸法に形成されており、屋根孔部７５の上方に位置するべき瓦と代替的に瓦桟７６に固定される。このとき、ねじ釘等の緊結用部材（図示しない）を、基体１１に設けられた緊結用孔部１９（図１参照）に挿通した上で瓦桟７６に留付けることにより、瓦桟７６に対して基体１１を固定することができる。なお、本実施形態では、このように線材引き込み器具１０が瓦桟７６に固定された状態で、基体孔部１２が屋根孔部７５のほぼ上方に開口するように、両孔部の位置が設定されている。
【００３５】
この状態で、太陽電池モジュールやテレビアンテナ等から延びた線材８８を、導入路入口１６（図１，図２参照）から立壁体３０の内側へ導入して、基体孔部１２に挿通する。そして、更に屋根孔部７５に線材８８を挿通すれば、線材８８を屋内まで引き込むことができる。この際、導入路入口１６から基体孔部１２まで至る線材導入路１５及び基体孔部１２の上方の空間は、広く開放されているため、線材８８の入線作業を極めて容易に行うことができる。
【００３６】
線材８８の引き込み作業が終了したら、蓋体５０を立壁体３０に装着する。この際、線材８８は基体１１から立設された第一防水壁４１ａ，４１ｂに架渡された形となっているが、第一防水壁４１ａ，４１ｂと蓋体５０との間には線材８８の厚さ以上の空隙が形成されるよう設定されているため、蓋体５０が浮き上がることなく立壁体３０に装着することができる。なお、蓋体５０の螺子用孔部５９を挿通させた固定用螺子６０を、立壁体３０の螺子孔３９と螺合させることにより、蓋体５０を立壁体３０に強固に固定することができる（図１参照）。そして、立壁体３０が蓋体５０によって被覆されるにあたり、立壁体３０が蓋体５０の内側に嵌め込まれるため、蓋体５０と立壁体３０との間隙を介して立壁体３０の内側に外部から雨水が浸入することが防止される。なお、固定用螺子６０の頭部の周囲に、パテ等のシーリング材を充填することにより、螺子用孔部５９を介して立壁体３０の内部側へ、外部から雨水が浸入することを防止することができる。
【００３７】
加えて、立壁体３０及び蓋体５０において、線材が導入される導入路入口１６及び蓋体側入口５６は、屋根の軒側に向かって開放しているため、瓦７１及び基体１１の表面を流下する雨水が、導入路入口１６及び蓋体側入口５６を介して立壁体３０の内側まで流入し難いものとなっている。
【００３８】
更に、本実施形態の線材引き込み器具１０は、第一防水壁４１ａ，４１ｂ，４１ｃ及び第二防水壁４２によっても、基体１１表面からの雨水の流入が防止されている。すなわち、図５（ａ）に実線矢印で図示するように、立壁体３０の内側に向かって流入しようとする雨水は、導入路入口１６より外側（軒側）に設けられた第一防水壁４１ｃ、及び導入路入口１６近傍に設けられた第一防水壁４１ｂによって塞き止められる。特に、第一防水壁４１ｂ，４１ｃは、共に軒側に向かって略へ字形に拡開しているため、雨水の流入を効果的に防止することができる。更に、第一防水壁４１ｂの先端４１ｅと立壁体３０との間隙から雨水が流入しても、基体孔部１２側で立壁体３０から突設されている一対の第二防水壁４２によって塞き止められる。そして、一対の第二防水壁４２のそれぞれの先端４２ｅの間を雨水が通過したとしても、更に基体孔部１２側に設けられ、略へ字形に軒側に向かって拡開している第一防水壁４１ａによって塞き止められる。
【００３９】
一方、雨水が立壁体３０の内側まで浸入したとしても、図５（ｂ）に実線矢印で図示するように、雨水は第一防水壁４１ａの先端４１ｅと立壁体３０との間隙を通り、立壁体３０から突設されると共に軒側に向かって傾斜した第二防水壁４２に案内されて、一対の第二防水壁４２のそれぞれの先端４２ｅの間を抜け、更に軒側に向けて傾斜した第一防水壁４１ｂに案内されて、第一防水壁４１ｂの先端４１ｅと立壁体３０との間隙を通過し、傾斜した第一防水壁４１ｃに更に案内されて外部に排出される。このように、第一防水壁４１ａ，４１ｂ，４１ｃ及び第二防水壁４２は、雨水が流入しにくく排出されやすい構成となっているため、雨水が基体孔部１２まで到達し、基体孔部１２ひいては屋根孔部７５を介して屋内に浸入することが、効果的に防止される。
【００４０】
なお、本実施形態の立壁体３０は平面視略Ｕ字状の形状であるが、棟側となる閉端部側では、立壁体３０の外周はほぼ流線型に形成されている。そのため、立壁体３０が基体１１の表面から突出していても、図５（ａ）に二点鎖線矢印で示したように、基体１１の表面上を流下する雨を、立壁体３０の外周に沿ってスムーズに流下させることができる。
【００４１】
また、図４（ａ）では、基体孔部１２及び屋根孔部７５の径の大きさを、共に、ＰＦ管等の合成樹脂製可撓電線管８６をジョイントするための、汎用のコネクタ８１と適合する径に設定し、両孔部１２，７５にコネクタ８１を嵌挿させた場合を例示している。このようにすることにより、線材引き込み器具１０を介して屋内に引き込まれた線材８８を、合成樹脂製可撓電線管８６を用いて屋内で配設することができると共に、仮に隣接する瓦７１同士の間隙、あるいは瓦７１と線材引き込み器具１０との間隙から屋根下地７４上へ雨水が流下したとしても、屋根孔部７５に嵌挿されたコネクタ８１によって、雨水が屋内まで浸入することを防止することができる。
【００４２】
コネクタ８１を使用しない場合は、図４（ｂ）に例示するように、屋根孔部７５に止水プレート８３を設置することにより、屋根孔部７５を介して屋内へ雨水が浸入することを防止することができる。この止水プレート８３は、例えば、屋根孔部７５と連通させるプレート孔部８５と、プレート孔部８５の外周に沿って立設された止水壁８４を有する構成とすることができる。
【００４３】
また、本実施形態の蓋体５０は、基体１１に向かって突設された蓋体突部５３を有することにより、図４（ａ），（ｂ）に示すように、線材導入路１５に導入された線材８８は、第一防水壁４１ａ及び第二防水壁４１ｂによって下方から支持されると共に、その間で蓋体突部５３によって上から押圧される。このとき、第一防水壁４１ａ及び第二防水壁４１ｂの間に設けられている第二防水壁４２は、第一防水壁４１ａ，４１ｂより低い高さに設定されているため、線材８８は二つの第一防水壁４１ａ，４１ｂの間で垂れ下がることとなる。これにより、仮に線材８８を水滴が伝わって来たとしても、水滴が基体孔部１２までは到達し難いものとなっている。更に、線材８８は二つの第一防水壁４１ａ，４１ｂ及び蓋体突部５３により、三点で安定的に支持される。
【００４４】
次に、第二実施形態の線材引き込み器具について、図６及び図７を用いて説明する。ここで、図６は第二実施形態の線材引き込み器具の（ａ）分解斜視図、及び（ｂ）要部平面図であり、図７は図６の線材引き込み器具を屋根に取付けた状態を示す模式図である。なお、第一実施形態と同様の構成については同一の符号を付し、詳細な説明は省略する。
【００４５】
第二実施形態の線材引き込み器具２０は、図６に示すように、屋根葺き材に取付けられる略板状の基体２１と、基体２１に貫通して設けられ、線材を挿通可能な基体孔部２２と、基体孔部２２及び基体孔部２２から軒側端部２３に向かって延びる線材導入路２５を囲繞するように、基体２１から立設されていると共に基体２１と一体化され、軒側端部２３に向かって開放された立壁体３０と、立壁体３０に対して着脱自在に装着され、立壁体３０を内嵌させて被覆可能な蓋体５０とを、主に具備している。
【００４６】
より詳細に説明すると、基体２１は金属で平板状に形成され、基体２１を屋根葺き材に固定する緊結用部材を挿通するための緊結用孔部２９が、基体孔部２２を中心とする略正三角形の頂点となる位置に三つ設けられている。なお、立壁体３０の構成は第一実施形態と同様であり、第一防水壁４１ａ，４１ｂ及び第二防水壁４２についても、第一実施形態と同様である。なお、第二実施形態では、導入路入口２６が軒側端部２３のごく近傍となる設定とされているため、第一実施形態の第一防水壁４１ｃに相当する構成は具備していないが、基体２１をより軒側まで延出させて、第一防水壁４１ｃに相当する構成を備えるものとしても構わない。なお、第二実施形態の蓋体５０は、第一実施形態の蓋体５０としても、共通して使用可能な設定とされている。
【００４７】
線材引き込み器具２０の使用方法について、図７を用いて説明する。第二実施形態の線材引き込み器具２０は、スレート板材等の板状の屋根葺き材７２が屋根下地７４の上に敷設された屋根に対して、好適に使用することができる。この場合、屋根下地７４の屋根孔部７５と連通する位置で、屋根葺き材７２に屋根葺き材孔部７９が穿設される。そして、屋根葺き材孔部７９と基体孔部２２とが一致するように、屋根葺き材７２に基体２１を取付ける。このとき、ねじ釘等の緊結用部材（図示しない）を、緊結用孔部２９に挿通した上で屋根葺き材７２に留め付けることにより、基体２１を屋根葺き材７２に対して固定することができる。なお、本実施形態の緊結用孔部２９は、基体孔部２２の周囲で略正三角形を構成する位置に三つ設けられているため、基体孔部２２の近傍で基体２１と屋根葺き材７２とが密着するように固定し易く、水密性を高めることができる。
【００４８】
また、図７に示すように、基体孔部２２、屋根葺き材孔部７９、及び屋根孔部７５に嵌挿されるスリーブ材８２を用いることにより、屋根葺き材７２同士の間隙、及び屋根葺き材７２と線材引き込み器具２０との間隙を介して、屋根孔部７５へ雨水が浸入することを防止できると共に、屋根葺き材孔部７９を補強することができる。
【００４９】
上記のように、第一実施形態及び第二実施形態の線材引き込み器具１０，２０によれば、着脱自在な蓋体５０を取り外して、線材導入路１５，２５及び基体孔部１２，２２の上方を広く開放することができるため、基体孔部１２，２２に線材８８を入線する作業を、極めて容易に行うことができる。
【００５０】
また、線材導入路１５，２５及び基体孔部１２，２２は、基体１１，２１と一体的に形成され、所定の高さまで立設された立壁体３０によって取り囲まれていると共に、線材が導入される導入路入口１６，２６は軒側で開放しているため、基体１１，２１の表面を流下する雨水が立壁体３０の内側に浸入し難い。更に蓋体５０は、周壁部５２の内側に立壁体３０の蓋側端部３４側を重畳させて立壁体３０を被覆する構成であるため、蓋体５０と立壁体３０との間から立壁体３０の内側に雨水が浸入し難い。かかる構成により、基体孔部１２，２２ひいては屋根孔部７５を介して、屋内に雨水が浸入することを防止することができる。
【００５１】
加えて、第一防水壁４１ａ，４１ｂ，４１ｃ、及び第二防水壁４２を備えることにより、立壁体３０の内側に雨水が流入し難いと共に、排出され易いものとなっている。更に、蓋体突部５３を備えることにより、雨水が線材を伝わって立壁体３０の内側に浸入したとしても、基体孔部１２，２２まで到達し難いものとなっている。
【００５２】
また、第一実施形態では基体１１が瓦の形状とされることにより、線材を引き込むために瓦に孔部を穿設する必要がなく、線材引き込み器具１０を既存の瓦と代替して、容易に屋根に設置することができる。加えて、線材引き込み器具１０自体が、周囲の瓦の中で目立ちにくいものとなり、屋根の外観を高めることができる。一方、第二実施形態では、基体２１が屋根葺き材に取付けられる板状に形成されるため、屋根葺き材の種類を問わず、屋根の構造を、屋根上から屋内に線材を引き込むことができる構造とすることができる。
【００５３】
更に、上記の実施形態では、線材引き込み器具１０，２０の各構成がいずれも金属製であるため、例えば蓋体を樹脂製とする場合に比べて防火性能が高く、屋根の施工用の部材として好適なものとなっている。
【００５４】
加えて、第一実施形態及び第二実施形態の線材引き込み器具１０，２０では、蓋体５０を共通の構成としているため、種類の異なる線材引き込み器具をコストを抑えて製造することができると共に、部材の販売業者や屋根の施工業者にとって、部材の管理が容易なものとなる。
【００５５】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００５６】
例えば、第一実施形態では、基体を平型の瓦の形状とする場合を例示したが、これに限定されず、波型の瓦の形状に形成することもできる。また、第二実施形態では、基体を平板状に形成する場合を例示したが、これに限定されず、屋根葺き材の形状に対応させて、湾曲した形状や波型の形状とすることができる。
【００５７】
また、第一防水壁及び第二防水壁の設置数や設置順は、上記の実施形態に限定されるものではない。
【００５８】
更に、基体及び立壁体を一体的に鋳込み成形する場合を例示したが、これに限定されず、両者を別体に成形した上で溶接、接着しても良い。また、各構成が金属製の場合を例示したが、材質はこれに限定されず、例えば、粘土やセラミックスによって、線材引き込み器具を構成させることができる。
【００５９】
また、第一実施形態では、立壁体の導入路入口と基体の軒側端部との間にある程度の距離がある場合を例示したが、これに限定されず、より軒側端部側で導入路入口が開放される設定としても良い。本発明は、蓋体を取り外して容易に入線作業を行うことができるため、導入路入口から基体孔部までの距離を長くとっても入線作業に支障がない。加えて、このような設定とすることにより、雨水が基体孔部まで、より到達し難い構成となる。
【図面の簡単な説明】
【００６０】
【図１】第一実施形態の線材引き込み器具の分解斜視図である。
【図２】図１の線材引き込み器具の要部の（ａ）平面図、及び（ｂ）Ｘ−Ｘ線断面図である。
【図３】図１の線材引き込み器具の蓋体の（ａ）平面図、（ｂ）Ａ−Ａ線断面図、（ｃ）Ｂ−Ｂ線断面図、及び（ｄ）Ｃ−Ｃ線断面図である。
【図４】図１の線材引き込み器具を屋根に取付けた状態を示す模式図である。
【図５】る図１の線材引き込み器具の第一防水壁及び第二防水壁による防水作用を説明する説明図である。
【図６】第二実施形態の線材引き込み器具の（ａ）分解斜視図、及び（ｂ）要部平面図である。
【図７】図６の線材引き込み器具を屋根に取付けた状態を示す模式図である。
【図８】従来の実施品の斜視図である。
【符号の説明】
【００６１】
１０，２０  線材引き込み器具
１１，２１  基体
１２，２２  基体孔部
１３，２３  軒側端部
１５，２５  線材導入路
３０  立壁体
４１ａ，４１ｂ，４１ｃ  第一防水壁
４２  第二防水壁
５０  蓋体
７４  屋根下地
７５  屋根孔部
８８  線材
【図１】
2008266977.tif 000003
【図２】
2008266977.tif 000004
【図３】
2008266977.tif 000005
【図４】
2008266977.tif 000006
【図５】
2008266977.tif 000007
【図６】
2008266977.tif 000008
【図７】
2008266977.tif 000009
【図８】
2008266977.tif 000010